(57)【要約】  本発明は、制御信号に応じて表示特性を変更するように構成された制御可能な表示装置（１０１）と、制御可能な表示装置（１０１）を制御するための制御信号を受信するように構成された無線通信インタフェース（１０３）とを備える、競技場における試合用の装着型スポーツ着（１００）に関する。
2019503718.tif 000002
【特許請求の範囲】
【請求項１】
競技場における試合用の装着型スポーツ着であって、
制御信号に応じて表示特性を変更する制御可能な表示装置と、
制御可能な前記表示装置を制御するための前記制御信号を受信する無線通信インタフェースと
を備える装着型スポーツ着。
【請求項２】
少なくとも１つの装着型ベルトを備え、前記装着型ベルトには、制御可能な前記表示装置と前記無線通信インタフェースとが統合される、請求項１に記載の装着型スポーツ着。
【請求項３】
制御可能な前記表示装置は、１つまたは複数の光素子、特にＬＥＤを有する、請求項１または２に記載の装着型スポーツ着。
【請求項４】
制御可能な前記表示装置は、前記制御信号および記録された歩数のうち少なくとも一方に応じて、次に述べる前記複数の光素子の表示特性、すなわち光周波数、光色、光強度のうち少なくとも１つを変更する、請求項３に記載の装着型スポーツ着。
【請求項５】
制御可能な前記表示装置は、前記制御信号の前記受信に応答して、または所定の時間間隔の経過後に、または歩数に応じて、光素子のスイッチを正確に切る、請求項３または４に記載の装着型スポーツ着。
【請求項６】
歩数を記録するための歩数計を更に備え、制御可能な前記表示装置が、記録された前記歩数に応じて前記表示特性を変更する、請求項１から５のいずれか一項に記載の装着型スポーツ着。
【請求項７】
制御可能な前記表示装置は、前記無線通信インタフェースによる制御信号の受信に応答して、音響信号を発するか、または前記音響信号の表示特性、特に信号周波数、信号系列、信号ラウドネス、信号形態もしくは信号パターンを変更する、制御可能な音響信号生成器を更に有する、請求項１から６のいずれか一項に記載の装着型スポーツ着。
【請求項８】
前記無線通信インタフェースによる前記制御信号の前記受信に応答して振動信号を発する振動モジュールを更に備える、請求項１から７のいずれか一項に記載の装着型スポーツ着。
【請求項９】
前記制御信号は、前記競技場における選手の位置、もしくは別の選手の位置に対する前記選手の位置、もしくは前記競技場における、特に前記競技場の所定のエリアもしくはゾーンにおける試合用対象物の位置、もしくは試合装置に対する前記試合用対象物の位置、もしくは前記選手もしくは別の選手の位置に対する前記試合用対象物の位置を示す、すなわち前記試合用対象物の前記位置および前記選手の前記位置を示す、請求項１から８のいずれか一項に記載の装着型スポーツ着。
【請求項１０】
前記制御信号は、前記表示装置の表示特性を示し、前記表示装置は、前記制御信号に従って前記表示特性を変更する、請求項１から９のいずれか一項に記載の装着型スポーツ着。
【請求項１１】
前記制御信号は、試合ルール、または試合ルールもしくは競技場境界線の変更、または競技場境界線の変更を示す、請求項１から１０のいずれか一項に記載の装着型スポーツ着。
【請求項１２】
前記制御信号は、選手または対戦相手の生理学的パラメータ、特にパフォーマンス生理学的パラメータを更に示す、請求項１から１１のいずれか一項に記載の装着型スポーツ着。
【請求項１３】
前記表示装置は、所定のまたは調整可能な時間間隔の経過後に前記表示特性を変更する、請求項１から１２のいずれか一項に記載の装着型スポーツ着。
【請求項１４】
前記無線通信インタフェースは、次に述べる通信技術、すなわちＢｌｕｅｔｏｏｔｈ（登録商標）、ＷＬＡＮ、ＵＭＴＳ、ＬＴＥ、Ｅｔｈｅｒｎｅｔ（登録商標）、インターネット、ＲＦＩＤのうち１つに従って動作する、請求項１から１３のいずれか一項に記載の装着型スポーツ着。
【請求項１５】
制御信号を生成すべく前記表示装置の前記表示特性を入力するためのグラフィカル・ユーザインタフェースと、通信ネットワークを介して前記装着型スポーツ着へ前記制御信号を送信するための通信インタフェースとを備える、請求項１から１４のいずれか一項に記載の装着型スポーツ着の前記表示装置を制御するための制御装置。
【発明の詳細な説明】
【技術分野】
【０００１】
本発明は、競技場における試合用の装着型スポーツ着に関する。
【背景技術】
【０００２】
競技場での複数の選手を含む試合、例えば、サッカー、バレーボールまたはバスケットボールなどの球技は、様々な試合状況に対する選手の迅速な適応を必要とすることが多い。しかし、監督から選手へ、または選手間で情報を素早く伝えるのは難しいことが多い。
【０００３】
本発明の目的は、競技場での試合、例えば、サッカー、バレーボールまたはバスケットボールの試合などの球技の実行を補助することである。
【０００４】
上記の目的は、独立項に記載の特徴により達成される。有利な実施形態が、従属項、明細書、添付図面の主題である。
【発明の概要】
【０００５】
第１の態様によれば、本発明は、制御信号に応じて表示特性を変更するように構成された制御可能な表示装置と、制御可能な表示装置を制御するための制御信号を受信するように構成された無線通信インタフェースとを備える、競技場における試合用の装着型スポーツ着に関する。
【０００６】
ある実施形態において、本発明は、少なくとも１つの装着型ベルトを備える装着型スポーツ着に関するものであり、装着型ベルトには、制御可能な表示装置と無線通信インタフェースとが統合される。
【０００７】
ある実施形態において、本発明は、制御可能な表示装置が１つまたは複数の光素子、特にＬＥＤを備える、装着型スポーツ着に関する。
【０００８】
ある実施形態において、本発明は、制御可能な表示装置が、制御信号に応じて、および／または記録された歩数に応じて、次に述べる光素子の表示特性、すなわち光周波数、光色、光強度のうち少なくとも１つを変更するように構成される、装着型スポーツ着に関する。
【０００９】
ある実施形態において、本発明は、制御可能な表示装置が、制御信号の受信に応答して、または所定の時間間隔の経過後に、または歩数に応じて光素子のスイッチを正確に切るように構成される、装着型スポーツ着に関する。
【００１０】
ある実施形態において、本発明は、歩数を記録するための歩数計を更に備える装着型スポーツ着であって、制御可能な表示装置が、記録された歩数に応じて表示特性を変更するように構成される、装着型スポーツ着に関する。
【００１１】
ある実施形態において、本発明は、表示装置が、通信インタフェースによる制御信号の受信に応答して、音響信号を発するように、またはその音響信号の表示特性、特に信号周波数、信号系列、信号ラウドネス、信号形態もしくは信号パターンを変更するように構成された制御可能な音響信号生成器を更に備える、装着型スポーツ着に関する。
【００１２】
ある実施形態において、本発明は、通信インタフェースによる制御信号の受信に応答して振動信号を発するように構成された振動モジュールを更に備える装着型スポーツ着に関する。
【００１３】
ある実施形態において、本発明は、制御信号が、競技場における選手の位置、または別の選手の位置に対する選手の位置、または競技場における、特に競技場の所定のエリアもしくはゾーンにおける試合用対象物の位置、または試合装置に対する試合用対象物の位置、または選手もしくは別の選手の位置に対する試合用対象物の位置を示す、すなわち試合用対象物の位置および選手の位置を示す、装着型スポーツ着に関する。
【００１４】
試合用対象物は、スポーツ用対象物、例えばボールであり得る。
【００１５】
ある実施形態において、本発明は、制御信号が表示装置の表示特性を示しており、表示装置が制御信号に応じて表示特性を変更するように構成される、装着型スポーツ着に関する。
【００１６】
ある実施形態において、本発明は、制御信号が、試合ルール、または試合ルールもしくは競技場境界線の変更、または競技場境界線の変更を示す、装着型スポーツ着に関する。
【００１７】
ある実施形態において、本発明は、制御信号が選手または対戦相手の生理学的パラメータ、特にパフォーマンス生理学的パラメータを更に示す、装着型スポーツ着に関する。
【００１８】
ある実施形態において、本発明は、表示装置が所定のまたは調整可能な時間間隔の経過後に表示特性を変更するように構成される、装着型スポーツ着に関する。
【００１９】
表示装置は更に、所定のまたは調整可能な時間間隔の経過後に表示信号の特性を変更するように構成され得る。
【００２０】
ある実施形態において、本発明は、通信インタフェースが次に述べる通信技術、すなわちＢｌｕｅｔｏｏｔｈ（登録商標）、ＷＬＡＮ、ＵＭＴＳ、ＬＴＥ、Ｅｔｈｅｒｎｅｔ（登録商標）、インターネット、ＲＦＩＤのうち１つに従って動作するように構成される、装着型スポーツ着に関する。
【００２１】
第２の態様によれば、本発明は、制御信号を生成すべく表示装置の表示特性を入力するためのグラフィカル・ユーザインタフェースと、通信ネットワークを介して、特にＢｌｕｅｔｏｏｔｈ（登録商標）、ＷＬＡＮ、ＵＭＴＳ、ＬＴＥ、Ｅｔｈｅｒｎｅｔ（登録商標）、インターネット、ＲＦＩＤを介して装着型スポーツ着へ制御信号を送信するための通信インタフェースとを備える、第１の態様に係る装着型スポーツ着の表示装置を制御するための制御装置に関する。
【図面の簡単な説明】
【００２２】
添付図面を参照して、本発明の更なる実施形態が説明される。図面は以下の通りである。
【００２３】
【図１】装着型スポーツ着を示す。
【発明を実施するための形態】
【００２４】
図１は、制御信号に応じて表示特性を変更するように構成された制御可能な表示装置１０１と、制御可能な表示装置１０１を制御するための制御信号を受信するように構成された無線通信インタフェース１０３とを備える、競技場における試合用の装着型スポーツ着１００を示す。表示装置１０１は照明装置であり得る。表示装置１０１は、複数の光素子１０５、特にＬＥＤを備え得る。装着型スポーツ着１００は、例えばＴシャツまたはジャージーの形態であり得る。
【００２５】
装着型スポーツ着１００は、ベルトシステム１０７−１、１０７−２、１０７−３のベルト１０７−１、１０７−２、１０７−３を更に備え得る。装着型スポーツ着１００および通信インタフェース１０３は、ベルト１０７−１、１０７−２、１０７−３に埋め込まれ得る。ベルト１０７−１、１０７−２、１０７−３は、２つのショルダーベルト１０７−１、１０７−２とウェストベルト１０７−３とを備え得る。ベルト１０７−１、１０７−２、１０７−３は、任意の形態であり得る。
【００２６】
装着型スポーツ着１００は、１つもしくは複数の音響信号生成器１０９、例えば拡声器、および／または１つもしくは複数の振動生成器もしくは振動モジュール１１１、および／または歩数計１１２、および／またはエネルギー供給用のエネルギー貯蔵デバイス１１４を更に備え得る。
【００２７】
図１には、例として、更なる装着型スポーツ着２００、３００が示され、これらは、装着型スポーツ着１００の特徴を備え得る。更に、図１には制御装置４００が示される。
【００２８】
装着型スポーツ着１００、例えばＳＭＡＲＴアイシャツ（ｉＳｈｉｒｔ）は、スマートフォン、ＰＣまたは別の無線対応制御ユニットを介して制御され得るベルトシステム１０７−１、１０７−２、１０７−３と、ＲＧＢ  ＬＥＤ１０５と、小型拡声器１０９とを備える。制御信号により示され得る特定の状態に応じて、ＬＥＤ１０５および／または小型拡声器１０９は、特定の光学的または音響的な状態を取り得る。
【００２９】
これらの光学的または音響的な状態は、特定の色の常時照明（「電子ジャージー」）、特定の色もしくは様々な色の点滅照明、任意のタイプの音、例えばボイスメッセージもしくは信号音、または上記の状態の任意の組み合わせであり得る。
【００３０】
装着型スポーツ着１００の表示装置１０１の光学的および音響的な表示特性を決定する状態は、基本的に固定指示であってよく、当該固定指示は、例えば監督がスマートフォンを用いて調整する。例えば、固定指示は、例えば新たなチームメイトを示すために、シャツが３０秒毎に、または他の時間間隔で色を変更すべきであること、色が特定の得点と同調すること、クラウドメモリへ選手ごとに記憶され得る選手の技能に応じて色が選択されること、左側が右側と異なる色を有する（選手が「緑」色の側でのみボールをパスしてもらってよい）こと、選手を試合から降ろせるようにＬＥＤのスイッチが切られること、小型拡声器が特定の信号音またはボイスメッセージ（公開鍵信号）を発すること、振動モジュール１１１が特定の振動信号（秘密鍵信号）を送信することであり得る。更に、装着型スポーツ着１００の表示装置１０１の光学的および音響的な表示特性を決定する状態は、例えば本システムに実装される専門知識により制御される動的指示であり得る。
【００３１】
記載されている、装着型スポーツ着１００の状態は、動的なものにされてよく、定められたルール、特に、チームメイト、対戦相手およびボールの位置データと、チームメイトおよび対戦相手の生理学的状態とに関する、監督、スポーツ医またはトレーニング科学者の専門知識に応じたものにされてよく、当該専門知識は、本システムまたは制御装置４００に実装される。装着型スポーツ着１００の状態の動的制御の例が次に示される。
【００３２】
（ｉ）選手および対戦相手が偶数いる２つのチームが、例えば３対３でプレーしている場合は、例えば対戦チームが２点より多くリードすると直ちに光素子１０１を作動させることにより、その時点でプレーしていない選手の追加的な装着型スポーツ着２００、３００が作動する。このように、負けているチームは、その後、もう１人多くの選手でプレーする。試合の状態は、監督により手動で追跡されてもよいし、本システムにより自動的に監視されてもよい。
【００３３】
（ｉｉ）装着型スポーツ着１００を着ている選手が所定のゾーンに留まらないと、装着型スポーツ着１００の光素子１０１の信号が停止する。このように、指示、例えば攻撃ゾーンでのみ、またはシュートゾーンでのみプレーせよとの指示に従わなければ、その選手は試合から電子的に外され得る。選手の位置データは、位置特定システム（ＲｅｄＦＩＲ、カタパルト（Ｃａｔａｐｕｌｔ）、ビデオなど）を用いてリアルタイムで監視され得る。
【００３４】
（ｉｉｉ）ゴールが決められた場合は、その時までにフィールドにいる時間が最も長かった着用者、および／または、前回のゴールから歩数が最も多かった着用者の各装着型スポーツ着１００、２００、３００が、ＬＥＤ１０５のスイッチを切る。同時に、休憩時間が最も長かった着用者の各装着型スポーツ着１００、２００、３００のスイッチが入り、これによって電子ローテーション管理が達成され得る。継続時間は、制御装置４００により監視され得る。歩数は、組み込まれた歩数計１１２、またはＧＰＳ、またはＬＰＭシステム、例えば図１のＬＰＭ１−４によりリアルタイムで監視され得る。
【００３５】
（ｉｖ）背後にカバーリングする選手がいる場合は、この条件が当てはまる着用者の各装着型スポーツ着１００、２００、３００が、ＬＥＤのスイッチを切る（ノーマークの選手のマーキング）。選手およびボールの位置データは、位置特定システム（ＲｅｄＦＩＲ、カタパルト、ビデオなど）を用いてリアルタイムで監視されてよく、特性を制御するのに使用されてよい。
【００３６】
制御装置４００は、装着型スポーツ着１００、２００、３００の表示装置１０１を制御するのに使用され、制御信号を生成すべく表示装置１０１の表示特性を入力または選択するためのグラフィカル・ユーザインタフェース４０１と、通信ネットワークを介して装着型スポーツ着１００、２００、３００へ制御信号を送信するための通信インタフェースとを備える。
【００３７】
グラフィカル・ユーザインタフェース４０１は、選択素子４０３を備え得る。この素子を用いて、例えば、それぞれの装着型スポーツ着１００、２００、３００のＬＥＤ１０５の光色が選択されてもよいし、作動させられてもよい。
【符号の説明】
【００３８】
参照番号のリスト  １００    装着型スポーツ着
１０１    表示装置
１０３    通信インタフェース
１０５    光素子
１０７−１    ベルト
１０７−２    ベルト
１０７−３    ベルト
１０９    音響信号生成器
１１１    振動モジュール
１１２    歩数計
１１４    エネルギー貯蔵デバイス
２００    追加的な装着型スポーツ着
３００    追加的な装着型スポーツ着
４００    制御装置
４０１    ユーザインタフェース
４０３    選択素子
【図１】
2019503718.tif 000003
【国際調査報告】
2019503718.tif 000004
2019503718.tif 000005
2019503718.tif 000006
2019503718.tif 000007
2019503718.tif 000008
2019503718.tif 000009